(57)【要約】【課題】基材に害虫駆除成分溶液が含浸された匍匐害虫駆除材であって、害虫駆除成分がネオニコチノイド系化合物である場合に、該匍匐害虫駆除材に使用される害虫駆除液の量を適切に制御して、ひいては害虫駆除成分量を低減しながらも十分な効力を発揮することができる匍匐害虫駆除材を提供すること。【解決手段】グリセリンにネオニコチノイド系化合物を溶解した害虫駆除液を、不織布０．０１ｍ２あたり１〜８ｇ含浸させてなる匍匐害虫駆除材、及び該匍匐害虫駆除材を、匍匐害虫の通り道に放置することを特徴とする匍匐害虫駆除方法。【選択図】  なし【特許請求の範囲】
【請求項１】
グリセリンにネオニコチノイド系化合物を溶解した害虫駆除液を、不織布０．０１ｍ２あたり１〜８ｇ含浸させてなる匍匐害虫駆除材。
【請求項２】
ネオニコチノイド系化合物が１−メチル−２−ニトロ−３−［（３−テトラヒドロフリル）メチル］グアニジンである請求項１記載の匍匐害虫駆除材。
【請求項３】
害虫駆除液が、害虫駆除液全量に対して０．０５〜２．０重量％のネオニコチノイド系化合物を含有する請求項１項記載の匍匐害虫駆除材。
【請求項４】
匍匐害虫がゴキブリである請求項１項記載の匍匐害虫駆除材。
【請求項５】
請求項１記載の匍匐害虫駆除材を、匍匐害虫の通り道に配置することを特徴とする匍匐害虫駆除方法。
【発明の詳細な説明】
【０００１】
【発明の属する技術分野】
本発明はゴキブリ等の匍匐害虫を駆除するための匍匐害虫駆除材及びそれを用いた匍匐害虫駆除方法に関する。
【０００２】
【従来の技術】
害虫駆除活性成分溶液が基材に含浸されてなる匍匐害虫駆除材が知られている（例えば、特許文献１及び特許文献２参照）。これらの匍匐害虫駆除材は、ゴキブリ等の匍匐害虫が該匍匐害虫駆除材に直接接触することで駆除効力を発揮する。
【０００３】
【特許文献１】
特開昭５４−１７１２７号公報
【特許文献２】
特開２００１−６１３９７号公報
【０００４】
【発明が解決しようとする課題】
このような匍匐害虫駆除材においては、一般に該害虫駆除材に含浸される害虫駆除成分量が多いほど、即ち害虫駆除液中の害虫駆除活性成分濃度が一定であれば害虫駆除液の量が多いほど、匍匐害虫の駆除効果が高くなると考えられる。
しかしながら、本発明者等が試験を行ったところ、グリセリンにネオニコチノイド系化合物を溶解させた害虫駆除液を不織布に含浸させた害虫駆除材では、害虫駆除液中の害虫駆除活性成分濃度が一定でも、不織布に含浸される害虫駆除液の量がある程度以上多いと、該匍匐害虫駆除材の害虫駆除効力がかえって低下することがわかった。
【０００５】
本発明は、基材に害虫駆除成分溶液が含浸された匍匐害虫駆除材であって、害虫駆除成分がネオニコチノイド系化合物である場合に、該匍匐害虫駆除材に使用される害虫駆除液の量を適切に制御して、ひいては害虫駆除成分量を低減しながらも十分な効力を発揮することができる匍匐害虫駆除材を提供する。
【０００６】
【課題を解決するための手段】
本発明は、以下の通りである。
１．グリセリンにネオニコチノイド系化合物を溶解した害虫駆除液を、不織布０．０１ｍ２あたり１〜８ｇ含浸させてなる匍匐害虫駆除材。
２．ネオニコチノイド系化合物が１−メチル−２−ニトロ−３−［（３−テトラヒドロフリル）メチル］グアニジンである１．記載の匍匐害虫駆除材。
３．害虫駆除液が、害虫駆除液全量に対して０．０５〜２．０重量％のネオニコチノイド系化合物を含有する１．記載の匍匐害虫駆除材。
４．匍匐害虫がゴキブリである１．記載の匍匐害虫駆除材。
５．１．記載の匍匐害虫駆除材を、匍匐害虫の通り道に配置することを特徴とする匍匐害虫の駆除方法。
【０００７】
【発明の実施の形態】
まず、本発明の匍匐害虫駆除材について説明する。
本発明の匍匐害虫駆除材は、グリセリンにネオニコチノイド系化合物を溶解した害虫駆除液を、不織布０．０１ｍ２あたり１〜８ｇ含浸させてなるものである。
【０００８】
本発明に用いられるネオニコチノイド系化合物とは、シナプス後膜のニコチン性アセチルコリン受容体にアゴニストとして作用して害虫駆除活性を発現する化合物をいい、例えば（Ｅ）−Ｎ−（６−クロロ−３−ピリジルメチル）−Ｎ−エチル−Ｎ’−メチル−２−ニトロビニリデンジアミン（一般名：ニテンピラム）、Ｎ１−［（６−クロロ−３−ピリジル）メチル］−Ｎ２−シアノ−Ｎ１−メチルアセタミジン（一般名：アセタミプリド）、１−（６−クロロ−３−ピリジルメチル）−２−シアノイミノ−チアゾリジン（一般名：チアクロプリド）、５−（２−クロロチアゾリ−５−イルメチル）−３−メチル−４−ニトロイミノ−パ−ヒドロ−１，３，５−オキサジアジン（一般名：チアメトキサム）、及び１−メチル−２−ニトロ−３−［（３−テトラヒドロフリル）メチル］グアニジン（一般名：ジノテフラン）が挙げられる。
【０００９】
本発明の匍匐害虫駆除材に用いられる害虫駆除液は、グリセリンにネオニコチノイド系化合物を溶解してなるものであり、実質的にグリセリン及びネオニコチノイド系化合物のみからなる混合物であっても、必要に応じてさらに他の溶媒等が添加されたものであってもよい。
【００１０】
他の溶媒としては、例えばエチレングリコール、ペンタエリスリトール等の多価アルコール類が挙げられる。この場合、他の溶媒の量は害虫駆除液全量に対して通常１０重量％以下である。
【００１１】
本発明の匍匐害虫駆除材に用いられる害虫駆除液には、害虫駆除液全量に対して通常０．０５〜２．０重量％、好ましくは０．１〜１．０重量％のネオニコチノイド系化合物が含有される。
【００１２】
該防虫液は、例えば所定量のネオニコチノイド系化合物と所定量のグリセリンと必要に応じて所定量の他の溶媒とを混合することにより製造することができる。
【００１３】
本発明の匍匐害虫駆除材は、不織布０．０１ｍ２あたり上記の害虫駆除液が１〜８ｇ、好ましくは２．０〜６．５ｇ含浸されてなるものである。本発明の匍匐害虫駆除材に含浸される害虫駆除液の量は、多すぎても、少なすぎても匍匐害虫の駆除効果が低下する。
【００１４】
本発明の害虫駆除材に用いられる不織布の材質としては、例えばポリエチレンテレフタレート、ポリブチレンテレフタレート等のポリエステル；６−ナイロン、６，６−ナイロン等のポリアミド；ポリエチレン、ポリプロピレン等のポリオレフィン；及びレーヨン等のセルロースが挙げられる。本発明の害虫駆除材に用いられる不織布の目付は、例えば５０〜１５０ｇ／ｍ２である。
【００１５】
本発明の害虫駆除材は、通常匍匐害虫の通り道に１個又は複数個配置して使用される。
この場合、本発明の匍匐害虫駆除材は、例えば匍匐害虫が出入り可能な開口部を有する容器内に設置して使用される。匍匐害虫が出入り可能な開口部を有する容器としては、例えば特開２００１−６１３９７号公報に記載された容器が挙げられる。
【００１６】
本発明の匍匐害虫駆除材が配置される匍匐害虫の通り道は水平面に限らず、傾斜面、垂直面等の場合もある。本発明の害虫駆除材を傾斜面、垂直面等に配置する場合には、本発明の害虫駆除材に含浸された害虫駆除液が漏れ出さないことが好ましい。本発明においては害虫駆除材に含有される害虫駆除液の量が少ないため、本発明の匍匐害虫駆除材を傾斜面、垂直面等に配置しても、害虫駆除液の漏れ出しは少ないが、かかる観点からは目付が５０〜１５０ｇ／ｍ２である不織布を用いるのが好ましい。
【００１７】
【実施例】
以下、製造例、試験例により本発明をさらに詳しく説明するが、本発明はこれらの例に限定されるものではない。
【００１８】
まず、本発明の害虫駆除材の製造につき、製造例を示す。
製造例１
１−メチル−２−ニトロ−３−［（３−テトラヒドロフリル）メチル］グアニジンのグリセリン溶液（０．２重量％）１ｇをポリエチレンテレフタレートとレーヨンとからなる不織布（大きさ：８ｃｍ×６ｃｍ、目付：９０ｇ／ｍ２）に含浸させて、本発明の害虫駆除材を得た。
【００１９】
製造例２
１−メチル−２−ニトロ−３−［（３−テトラヒドロフリル）メチル］グアニジンのグリセリン溶液（０．２重量％）２ｇをポリエチレンテレフタレートとレーヨンとからなる不織布（大きさ：８ｃｍ×６ｃｍ、目付：９０ｇ／ｍ２）に含浸させて、本発明の害虫駆除材を得た。
【００２０】
製造例３
１−メチル−２−ニトロ−３−［（３−テトラヒドロフリル）メチル］グアニジンのグリセリン溶液（０．２重量％）３ｇをポリエチレンテレフタレートとレーヨンとからなる不織布（大きさ：８ｃｍ×６ｃｍ、目付：９０ｇ／ｍ２）に含浸させて、本発明の害虫駆除材を得た。
【００２１】
比較製造例
１−メチル−２−ニトロ−３−［（３−テトラヒドロフリル）メチル］グアニジンのグリセリン溶液（０．２重量％）５ｇをポリエチレンテレフタレートとレーヨンとからなる不織布（大きさ：８ｃｍ×６ｃｍ、目付：９０ｇ／ｍ２）に含浸させて、本発明の害虫駆除材を得た。
【００２２】
次に、本発明の匍匐害虫駆除材の匍匐害虫駆除効力につき、試験例を示す。
試験例
プラスチック製試験容器（３０ｃｍ×４０ｃｍ×５ｃｍ）内に、木製の三角筒（１辺３ｃｍ×長さ１５ｃｍ）、水１ｍｌ（脱脂綿に水を染み込ませた状態のもの）、及び餌（ラット・マウス用固形試料、日本クレア株式会社製）を置き、チャバネゴキブリ５０匹を放し、明るい場所で２時間放置した。
次いで、上記試験用容器を暗い場所に移し、試験用容器中央に試験用の匍匐害虫駆除材を配置した。本発明の匍匐害虫駆除材を配置してから所定時間経過後に、ノックダウンしているチャバネゴキブリの数を数えた。結果を表１に示す。
【００２３】
【表１】
2005040007.tif 000002
比較製造例では不織布に含浸された害虫駆除液の量が多いにも関わらず、害虫駆除効力が低下していることがわかる。
【００２４】
【発明の効果】
本発明の匍匐害虫駆除材は、害虫駆除成分であるネオニコチノイド系化合物を大量に使用しなくても、十分な匍匐害虫駆除効力を発揮するものである。